(57)【要約】      （修正有）【課題】色収差を良好に低減しつつ、小型で高い光学性能の光学系及びそれを有する撮像装置を提供すること。【解決手段】物体側から像側へ順に、正の屈折力の第１レンズユニットＬ１、正の屈折力の第２レンズユニットＬ２からなる光学系において、前記第２レンズユニットＬ２は開口絞りを有し、前記開口絞りの物体側及び像側のレンズは前記開口絞りに対して凹面を向けており、全系及び第１レンズユニットＬ１の焦点距離を各々ｆ、ｆ１とし、前記第１レンズユニットＬ１内の負レンズのうち、最小のアッベ数をνｄ１ｎとするとき、以下の条件式を満足することを特徴とする構成とした。０．０８＜ｆ／ｆ１＜０．５、νｄ１ｎ＜３５【選択図】図１
2018185389.tif 000002
【特許請求の範囲】
【請求項１】
物体側から像側へ順に、正の屈折力の第１レンズユニット、正の屈折力の第２レンズユニットからなる光学系において、前記第２レンズユニットは開口絞りを有し、前記開口絞りの物体側及び像側のレンズは前記開口絞りに対して凹面を向けており、全系及び第１レンズユニットの焦点距離を各々ｆ、ｆ１とし、前記第１レンズユニット内の負レンズのうち、最小のアッベ数をνｄ１ｎとするとき、
０．０８  ＜  ｆ／ｆ１  ＜  ０．５
νｄ１ｎ  ＜  ３５
なる条件式を満足することを特徴とする光学系。
【請求項２】
前記第1レンズユニット内の負レンズのうち、最小のアッベ数の負レンズの焦点距離をｆ１ｎとするとき、
−１  ＜  ｆ１ｎ／ｆ１  ＜  −０．１
なる条件式を満足することを特徴とする請求項１に記載の光学系。
【請求項３】
前記第1レンズユニット内の負レンズのうち、最小のアッベ数の負レンズのｄ線の屈折率をｎｄ１ｎとするとき、
０．１≦  ｎｄ１ｎ−（−０．０１４νｄ１ｎ＋２．１７）  ≦  ０．２
なる条件式を満足することを特徴とする請求項１または２に記載の光学系。
【請求項４】
前記第２レンズユニットのうち、開口絞りよりも物体側を第２ａレンズユニット、開口絞りよりも像側を第２ｂレンズユニットとし、前記第２ｂレンズユニットの正レンズのｄ線の平均屈折率をＮｄａｖｇとするとき、
１．６７  ＜  Ｎｄａｖｇ  ＜  １．８
なる条件式を満足する請求項１乃至３のいずれか１項に記載の光学系。
【請求項５】
前記第1レンズユニット内の負レンズのうち、最小のアッベ数の負レンズのｇ線とＦ線に関する部分分散比をθｇＦ１ｎとするとき、
−０．０５≦  θｇＦ１ｎ−（−０．００１６８２νｄ１ｎ＋０．６４３８）
≦  ０．０１
なる条件式を満足することを特徴とする請求項１乃至４のいずれか１項に記載の光学系。
【請求項６】
請求項１乃至５のいずれか１項に記載の光学系を有することを特徴とする撮像装置。
【発明の詳細な説明】
【技術分野】
【０００１】
本発明は光学系に関し、例えば銀塩フィルム用カメラ、デジタルスチルカメラ、ビデオカメラ等の撮像装置として、この他、望遠鏡、双眼鏡、プロジェクタ、複写機等の光学機器に好適な光学系に関するものである。
【背景技術】
【０００２】
従来よりＦナンバーが明るく、広角から標準画角域の光学系では、開口絞りに対して正の屈折力のレンズユニットを略対照型に配置した所謂ガウス型の光学系の物体側に、正又は負のレンズユニットを配置した構成が知られている（特許文献１、２）。
【先行技術文献】
【特許文献】
【０００３】
【特許文献１】特開２０１１−１３４６９号公報
【特許文献２】特開２０１１−５９２９０号公報
【発明の概要】
【発明が解決しようとする課題】
【０００４】
近年、撮像用の光学系は画面全体にわたり高い光学性能を有すること等が求められている。Ｆナンバーが明るい光学系では、高い光学性能を得るには、像面湾曲及び非点収差、色収差を良好に補正することが重要になってくる。
【０００５】
略対称型のガウス型光学系の物体側に、正又は負のレンズユニットを配置した光学系は、ペッツバール和を小さくして像面湾曲及び非点収差を良好に低減することができる。軸上色収差及び倍率色収差を良好に低減するためには、パワー配置及び各レンズの材料等を適切に設定することが重要となる。これらの要素が不適切であると、色収差を良好に低減しつつ高い光学性能を得るのが困難になってくる。
【０００６】
本発明は、色収差を良好に低減しつつ、小型で高い光学性能が得られる光学系及びそれを有する撮像装置の提供を目的とする。
【課題を解決するための手段】
【０００７】
本発明の光学系は、物体側から像側へ順に、正の屈折力の第１レンズユニット、正の屈折力の第２レンズユニットからなり、前記第２レンズユニットは開口絞りを有し、前記開口絞りの物体側及び像側のレンズは前記開口絞りに対して凹面を向けており、全系及び第１レンズユニットの焦点距離を各々ｆ、ｆ１とし、前記第１レンズユニット内の負レンズのうち、最小のアッベ数をνｄ１ｎとするとき、
０．０８  ＜  ｆ／ｆ１  ＜  ０．５
νｄ１ｎ  ＜  ３５
なる条件式を満足することを特徴としている。
【発明の効果】
【０００８】
本発明によれば、色収差を良好に低減しつつ、小型で高い光学性能の光学系を提供することができる。
【図面の簡単な説明】
【０００９】
【図１】実施例１の無限遠物体の合焦状態における光学系の断面図である。
【図２】実施例１の無限遠物体の合焦状態における収差図である。
【図３】実施例２の無限遠物体の合焦状態における光学系の断面図である。
【図４】実施例２の無限遠物体の合焦状態における収差図である。
【図５】実施例３の無限遠物体の合焦状態における光学系の断面図である。
【図６】実施例３の無限遠物体の合焦状態における収差図である。
【図７】実施例４の無限遠物体の合焦状態における光学系の断面図である。
【図８】実施例４の無限遠物体の合焦状態における収差図である。
【図９】本発明の実施例を有する光学機器の概略図。
【発明を実施するための形態】
【００１０】
以下、本発明の実施例について図面を参照しながら説明する。まず各実施例の光学系に共通する事項として、各実施例の光学系は物体側から像側へ順に、正の屈折力の第1レンズユニット、正の屈折力の第２レンズユニットからなる。前記第２レンズユニットは開口絞りを有している。前記開口絞りの物体側及び像側のレンズ面は、開口絞りに対して凹面を向けている。
【００１１】
図１は実施例１の光学系が無限遠物体に合焦した時のレンズ断面図である。図２は実施例１の光学系が無限遠物体に合焦した時の収差図である。図３は実施例２の光学系が無限遠物体に合焦した時のレンズ断面図である。図４は実施例２の光学系が無限遠物体に合焦した時の収差図である。図５は実施例３の光学系が無限遠物体に合焦した時のレンズ断面図である。図６は実施例３の光学系が無限遠物体に合焦した時の収差図である。図７は実施例４の光学系が無限遠物体に合焦した時のレンズ断面図である。図８は実施例４の光学系が無限遠物体に合焦した時の収差図である。図９は本発明の撮像装置の要部概略図である。
【００１２】
各実施例の光学系は、ビデオカメラ、デジタルスチルカメラ、銀塩フィルムカメラ、監視用カメラ等の撮像装置に用いられる撮影レンズ系である。レンズ断面図において左方が物体側（前方）、右方が像側（後方）である。なお、各実施例の光学系をプロジェクタ等の投射レンズとして用いるときは左方が投射面（スクリーン）側、右方が投射面に投射される原画側である。
【００１３】
レンズ断面図においてｉは物体側からのレンズの順番を示し、Ｌｉは第ｉレンズユニットである。ＳＰは開口絞りである。ＩＰは像面であり、ビデオカメラやデジタルスチルカメラ等の撮像装置に用いたときは固体撮像素子の撮像面、銀塩フィルムカメラに用いたときはフィルム面に相当する感光面が配置される。
【００１４】
いま、波長λの光線に関する屈折率をｎλとし、フラウンフォーファー線であるｇ線（４３５．８ｎｍ）、Ｆ線（４８６．１ｎｍ）、ｄ線（５８７．６ｎｍ）およびＣ線（６５６．３ｎｍ）に関する屈折率をそれぞれｎｇ、ｎＦ、ｎｄ、ｎＣとする。ｄ線に関する材料のアッベ数νｄ、ｇ線とＦ線に関する材料の部分分散比θｇＦはそれぞれ以下で表される。
νｄ＝（ｎｄ−１）／（ｎＦ−ｎＣ）
θｇＦ＝（ｎｇ−ｎＦ）／（ｎＦ−ｎＣ）
【００１５】
各実施例の光学系は、物体側から像側に順に、正の屈折力の第１レンズユニットＬ１、正の屈折力の第２レンズユニットＬ２を有する。ここでレンズユニットとはフォーカシングにより一体となり光軸方向の間隔が変化するレンズ群を意味する。なお、ズーミングや光学防振のために光軸に対して直交する方向にシフトするレンズ群もレンズユニットと取り扱ってもよい。
【００１６】
各実施例において全系及び第1レンズユニットの焦点距離を各々ｆ、ｆ１とする。また、第１レンズユニットＬ１内の負レンズのうち、最小のアッベ数をνｄ１ｎとする。このとき、以下の条件式を満足する。
０．０８  ＜  ｆ／ｆ１  ＜  ０．５          ・・・（１）
νｄ１ｎ  ＜  ３５                          ・・・（２）
【００１７】
条件式（１）及び（２）は光学系を小型にしつつ色収差、特に倍率色収差を良好に低減するためのものである。条件式（１）の下限を下回ると第1レンズユニットの屈折力が相対的に小さく、光学系の全長短縮及び第２レンズユニットの小径化が困難となる。条件式（１）の上限を上回ると第１レンズユニットの屈折力が相対的に大きくなり、パワー配置の非対称性が増すために倍率色収差を低減することが困難となる。条件式（２）の上限を上回ると負の色ディストーションの発生が十分ではなく、倍率色収差の低減が困難となる。
【００１８】
好ましくは条件式（１）及び（２）を以下の数値範囲の如く設定するのが良い。
０．０９  ＜  ｆ／ｆ１  ＜  ０．３５          ・・・（１ａ）
νｄ１ｎ  ＜  ３３                            ・・・（２ａ）
【００１９】
さらに望ましくは条件式（１ａ）、（２ａ）を以下の数値範囲とするのがよい。
０．１  ＜  ｆ／ｆ１  ＜  ０．２６            ・・・（１ｂ）
νｄ１ｎ  ＜  ３０                            ・・・（２ｂ）
【００２０】
各実施例において第１レンズユニット内の負レンズのうち、最小のアッベ数の負レンズの焦点距離をｆ１ｎとするとき、以下の条件式（３）を満足するのが好ましい。
−１  ＜  ｆ１ｎ／ｆ１  ＜  −０．１    ・・・（３）
【００２１】
条件式（３）は倍率色収差を良好に低減し高い光学性能を実現するためのものである。条件式（３）の下限を下回ると相対的に負レンズの屈折力が小さくなるため、該負レンズで発生する負の色ディストーションが小さくなる。本発明の光学系のパワー配置では正の倍率色収差が発生しているため、該負レンズでの倍率色収差の補正効果が十分に得られなくなる。条件式（３）の上限を上回ると相対的に負レンズの屈折力が大きくなるため、第１レンズユニットで倍率色収差が大きく発生して倍率色収差が補正過剰となる。
【００２２】
好ましくは条件式（３）を以下の数値範囲の如く設定するのが良い。
−０．８  ＜  ｆ１ｎ／ｆ１  ＜  −０．１５    ・・・（３ａ）
さらに望ましくは条件式（３ａ）を以下の数値範囲とするのがよい。
−０．５  ＜  ｆ１ｎ／ｆ１  ＜  −０．２    ・・・（３ｂ）
【００２３】
各実施例において第１レンズユニットＬ１内の負レンズのうち、アッベ数が最小のレンズのｄ線の屈折率をｎｄ１ｎとするとき、以下の条件式（４）を満足するのが好ましい。
０≦  ｎｄ１ｎ−（−０．０１４νｄ１ｎ＋２．１７）  ≦  ０．２    ・・・（４）
【００２４】
条件式（４）は色収差、特に倍率色収差を良好に低減するためのものである。条件式（４）の下限を下回ると負レンズの曲率が相対的に大きくなり像面湾曲などの諸収差を補正することが困難になる。また、光学系を小型に構成することが困難になる。条件式（４）の上限を上回ると、倍率色収差が大きく発生し、この補正が困難となる。
【００２５】
好ましくは条件式（４）を以下の数値範囲の如く設定するのが良い。
０．０１≦  ｎｄ１ｎ−（−０．０１４νｄ１ｎ＋２．１７）  ≦  ０．１５
・・・（４ａ）
さらに望ましくは条件式（４ａ）を以下の数値範囲とするのがよい。
０．０１６≦  ｎｄ１ｎ−（−０．０１４νｄ１ｎ＋２．１７）  ≦  ０．２
・・・（４ｂ）
【００２６】
各実施例において、前記第２レンズユニットのうち、開口絞りよりも物体側を第２ａレンズユニット、開口絞りよりも像側を第２ｂレンズユニットとする。このとき、前記第２ｂレンズユニットの正レンズのｄ線の平均屈折率をＮｄａｖｇとするとき、以下の条件式（５）を満足するのが好ましい。
【００２７】
１．６７  ＜  Ｎｄａｖｇ  ＜  １．８０    ・・・（５）
条件式（５）は非点収差及び像面湾曲を低減するためのものである。条件式（５）の下限を下回ると正レンズの屈折率が小さくなり、曲率が相対的に大きくなるため像面湾曲などの諸収差を低減することが困難になる。条件式（５）の上限を上回ると相対的にペッツバール和が大きくなるため非点収差及び像面湾曲などの諸収差を低減することが困難になる。
【００２８】
好ましくは条件式（５）を以下の数値範囲の如く設定するのが良い。
１．６７  ＜  Ｎｄａｖｇ  ＜  １．７５      ・・・（５ａ）
さらに望ましくは条件式（５ａ）を以下の数値範囲とするのがよい。
１．６７５  ＜  Ｎｄａｖｇ  ＜  １．７      ・・・（５ｂ）
【００２９】
各実施例において第１レンズユニットＬ１内の負レンズのうち、アッベ数が最小のレンズのｇ線とＦ線に関する部分分散比をθｇＦ１ｎとするとき、以下の条件式（６）を満足するのが好ましい。
−０．０５＜θｇＦ１ｎ−（−０．００１６８２νｄ１ｎ＋０．６４３８）＜０．０１
・・・（６）
【００３０】
条件式（６）は軸上色収差と倍率色収差の補正に際し、短波長側の２次スペクトルを良好に低減し高い光学性能を実現するためのものである。条件式（６）の下限を下回ると短波長側の倍率色収差がアンダーとなり、２次スペクトルが補正不足となる。条件式（６）の上限を上回ると短波長側の軸上色収差がオーバーとなり、軸上色収差を低減することが困難となる。
【００３１】
好ましくは条件式（６）を以下の数値範囲の如く設定するのが良い。
−０．０２＜θｇＦ１ｎ−（−０．００１６８２νｄ１ｎ＋０．６４３８）＜０．０１
・・・（６ａ）
さらに望ましくは条件式（５ａ）を以下の数値範囲とするのがよい。
−０．０１＜θｇＦ１ｎ−（−０．００１６８２νｄ１ｎ＋０．６４３８）＜０．００９
・・・（６ｂ）
【００３２】
［実施例１］
図１に示す実施例１（数値実施例１）の光学系は、物体側から像側へ順に、正の屈折力の第１レンズユニットＬ１と、正の屈折力の第２レンズユニットＬ２から構成されている。第２レンズユニットＬ２は物体側から像側へ順に、正の屈折力のレンズユニットＬ２ａ、開口絞りを含む正の屈折力のレンズユニットＬ２ｂから構成されている。無限遠物体から近距離物体へのフォーカシングに際して、第１レンズユニットＬ１は不動であり、レンズユニットＬ２ａ及びＬ２ｂは矢印の如く物体側へ移動する。このとき、レンズユニットＬ２ａとレンズユニットＬ２ｂの双方の間隔が変化するように移動するフローティング構成としてもよい。
【００３３】
前記第１レンズユニットの最も物体側のレンズには負レンズを配置し、光学系を小型に構成している。第２ｂレンズユニット内に異常分散性を有する（メタ）アクリルモノマーを正の屈折力で配置することで軸上色収差及び倍率色収差を良好に低減している。第１レンズユニットＬ１内の負レンズのうち、アッベ数が最も小さいのは第５レンズであり、物体側に凹面を向けた負メニスカスレンズである。これにより、色のディストーションを発生させ、全系の倍率色収差が低減できる。
【００３４】
［実施例２］
図３に示す実施例２（数値実施例２）の光学系のレンズ構成は図１の実施例１と略同じである。本実施例において、第２ｂレンズユニット内に異常分散性を有する固体材料に無機酸化物の微粒子を混合した材料を用いている。
【００３５】
［実施例３］
図５に示す実施例３（数値実施例３）の光学系のレンズ構成は図１の実施例１と略同じである。
【００３６】
［実施例４］
図７に示す実施例４（数値実施例４）の光学系のレンズ構成は図１の実施例１と略同じである。
【００３７】
実施例１及び２で用いた異常分散性を有する光学材料としては硝子材料や樹脂、固体材料に無機酸化物の微粒子を混合した材料などがある。無機酸化物微粒子の混合体の場合には、例えばＴｉＯ2微粒子、ＩＴＯ（Ｉｎｄｉｕｍ−Ｔｉｎ−Ｏｘｉｄｅ）微粒子を固体材料中に適切な体積比で分散させれば良い。
【００３８】
散乱を考慮するとこれらの微粒子の粒径は２ｎｍから５０ｎｍが好ましく、凝集を抑えるために分散剤等を添加してもよい。微粒子を分散させた混合体において、波長λでの屈折率ｎ（λ）はＭａｘｗｅｌｌ−Ｇａｒｎｅｔ理論に基づく関係式から導き出すことができる。
【００３９】
【数１】
2018185389.tif 000003
【００４０】
但し、波長λの関数であるεａｖは混合体の比誘電率、εｐは分散する微粒子等の比誘電率であり、εｍは微粒子等を分散させる母材の比誘電率であり、ηは母材の体積に対する微粒子等の総体積の分率である。各波長における混合体の比誘電率から屈折率は以下の式を用いて計算することができる。
【００４１】
【数２】
2018185389.tif 000004
【００４２】
以上、本発明の好ましい実施形態について説明したが、本発明はこれらの実施形態に限定されず、その要旨の範囲内で種々の変形及び変更が可能である。
【００４３】
次に本発明の光学系を撮影光学系として用いたスチルカメラの実施形態について図９を用いて説明する。図９において、１０はスチルカメラ本体、１１は本発明の光学系によって構成された撮影光学系、１２は撮影光学系１１によって形成される像を受光する撮像素子（固体撮像素子）ある。
【００４４】
この様に本発明の光学系をスチルカメラ等の撮像装置に適用する事により、高い光学性能を有する撮像装置が実現できる。なお、固体撮像素子にＣＣＤ等の電子撮像素子を用いれば、電子的に歪曲収差や色収差等の諸収差の補正をする事ができ、出力画像を高画質化する事が容易になる。また本発明の光学系はクイックリターンミラーのないノンフレックスの一眼カメラにも適用することができる。
【００４５】
以上、本発明の好ましい実施形態について説明したが、本発明はこれらの実施形態に限定されず、その要旨の範囲内で種々の変形及び変更が可能である。
【００４６】
次に本発明の実施例１乃至４に対応する数値実施例１乃至４を示す。各数値実施例において、ｉは物体側からの光学面の順序を示す。ｒｉは物体側より順に第ｉ番目の光学面（第ｉ面）の曲率半径である。ｄｉは第ｉ面と第ｉ＋１面との間の間隔である。ｎｉとνｉはそれぞれｄ線に対する第ｉ番目の光学部材の材料の屈折率、アッベ数を示す。
【００４７】
また、非球面形状は、Ｘを光軸方向の面頂点からの変位量とし、ｈを光軸に直交する方向の光軸からの高さとし、ｒを近軸曲率半径とし、ｋを円錐定数とし、Ｂ，Ｃ，Ｄ，Ｅ，…を各次数の非球面係数とするとき以下のように表す。
【００４８】
【数３】
2018185389.tif 000005
なお、各数値における「Ｅ±ＸＸ」は「×１０±ＸＸ」を意味する。ＢＦは最終面から像面までの距離（バックフォーカス）である。
【００４９】
［数値実施例１］
面番号       r        d      nd         vd       有効径
1         61.156    3.50   1.58313    59.4       51.50
2*        23.925   14.07                         41.18
3       -105.877    3.80   1.91082    35.3       40.87
4        -50.194    2.00   1.48749    70.2       40.87
5         66.278    2.54                         38.48
6        276.531    4.20   2.00100    29.1       38.44
7        -99.019    3.12                         38.25
8        -42.193    2.00   1.87681    25.9       37.92
9       -150.438    0.90                         38.71
10         63.473    9.00   1.59522    67.7       39.00
11        -52.112  (可変)                         38.55
12         52.352    5.25   1.88100    40.1       35.30
13       -234.928    0.15                         34.66
14        403.453    6.35   1.59522    67.7       33.50
15        -35.067    1.60   1.65412    39.7       32.18
16         34.907  (可変)                         27.55
17(絞り)    ∞       7.03                         26.60
18        -21.226    1.55   1.73800    32.3       25.60
19         40.979    0.90   1.62898    19.4       29.22
20         54.387    5.30   1.77250    49.6       29.34
21       -103.303    0.20                         30.25
22         91.327    7.35   1.59522    67.7       31.65
23        -34.139    0.20                         32.00
24*      -311.115    4.50   1.77250    49.5       33.57
25        -46.202  (可変)                         34.57
像面        ∞   
非球面データ
第2面
K = 0.00000e+000  B=-1.10034e-006  C=-1.70377e-009  D=-8.96273e-012  E= 2.69364e-014  F=-4.16485e-017  
第24面
K = 0.00000e+000  B=-7.04769e-006  C= 1.42819e-010  D=-8.15714e-012  E= 7.79593e-015  
各種データ
焦点距離      34.30  
Fナンバー      1.45  
画角          32.24  
像高          21.64  
レンズ全長   137.32  
BF            39.00  
d11            7.37  
d16            5.43  
d25           39.00  
入射瞳位置    36.96  
射出瞳位置   -42.41  
前側主点位置  56.80  
後側主点位置   4.70  
レンズユニットデータ
群  始面    焦点距離  レンズ構成長  前側主点位置  後側主点位置
1    1     192.98        45.13        87.95         93.82
2a  12     219.86        13.35       -31.52        -34.41
2b  17      47.78        27.03        25.38         11.72
単レンズデータ
レンズ  始面  焦点距離
1       1    -69.81
2       3    101.48
3       4    -58.26
4       6     73.25
5       8    -67.46
6      10     49.52
7      12     49.01
8      14     54.50
9      15    -26.50
10      18    -18.75
11      19    257.59
12      20     46.81
13      22     42.68
14      24     69.72
［数値実施例２］
面データ
面番号       r        d      nd         vd       有効径
1         85.945    3.70   1.58313    59.4       50.94
2*        24.805   12.62                         40.82
3       -104.813    2.00   1.51742    52.4       40.67
4         65.552    2.53                         40.11
5        108.083    6.00   1.91082    35.3       40.39
6        -83.381    6.57                         40.28
7        -43.758    1.85   1.80000    29.8       37.15
8       -151.341    0.15                         37.64
9          ∞       0.00                         37.62
10         74.823    8.20   1.59522    67.7       37.65
11        -49.209  (可変)                         38.05
12         42.388    5.25   2.00100    29.1       35.50
13       1092.798    0.80                         34.70
14        165.718    4.60   1.59522    67.7       32.99
15        -58.751    1.50   1.73800    32.3       31.79
16         28.913  (可変)                         27.35
17(絞り)    ∞       6.94                         26.56
18        -21.691    1.50   1.76182    26.5       25.70
19        119.580    1.00   1.69934    26.4       28.63
20       2289.915    3.20   1.59522    67.7       28.71
21        -68.690    0.19                         29.50
22         93.369    7.00   1.59522    67.7       31.19
23        -35.961    0.15                         32.00
24*      -256.834    4.85   1.85400    40.4       33.65
25        -42.789  (可変)                         34.80
像面        ∞   
非球面データ
第2面
K = 0.00000e+000  B=-1.20127e-006  C=-5.71648e-009  D= 1.02152e-011  E=-1.86385e-014  
第24面
K = 0.00000e+000  B=-6.62611e-006  C=-5.81119e-010  D=-3.06832e-012  E= 4.52751e-016  
各種データ
焦点距離      34.30  
Fナンバー      1.45  
画角          32.24  
像高          21.64  
レンズ全長   132.63  
BF            39.00  
d11            7.10  
d16            5.94  
d25           39.00  
入射瞳位置    35.78  
射出瞳位置   -37.60  
前側主点位置  54.72  
後側主点位置   4.70  
レンズユニットデータ
群  始面    焦点距離  レンズ構成長  前側主点位置  後側主点位置
1    1     177.89        43.62        83.58         90.06
2a  12     336.40        12.15       -63.15        -59.18
2b  17      46.52        24.83        23.55         10.09
単レンズデータ
レンズ  始面  焦点距離
1       1    -61.16
2       3    -77.63
3       5     52.46
4       7    -77.54
5      10     51.13
6      12     43.94
7      14     73.43
8      15    -26.07
9      18    -23.99
10      19    180.38
11      20    112.10
12      22     44.52
13      26     59.50
［数値実施例３］
面データ
面番号       r        d      nd         vd       有効径
1         89.936    3.49   1.58313    59.4       51.93
2*        25.399   12.67                         42.06
3       -219.634    2.00   1.49700    81.5       41.45
4         50.012    2.15                         40.04
5         88.932    6.13   1.91082    35.3       40.08
6        -87.676    3.14                         39.85
7        -48.966    1.88   1.72047    34.7       38.69
8        385.118    3.69                         38.47
9         60.914    8.43   1.59522    67.7       38.56
10        -59.096  (可変)                         38.69
11         38.017    6.13   2.00100    29.1       36.82
12        662.911    1.09                         35.86
13        138.695    5.06   1.59522    67.7       33.46
14        -62.984    1.56   1.85478    24.8       31.77
15         28.060  (可変)                         27.41
16(絞り)    ∞       7.22                         26.94
17        -21.594    1.41   1.73800    32.3       26.38
18       -119.899    3.27   1.59522    67.7       28.95
19        -44.829    0.15                         29.80
20         76.175    7.32   1.59522    67.7       31.70
21        -35.601    0.18                         31.90
22*      -116.342    4.16   1.85400    40.4       32.65
23        -44.111  (可変)                         33.89
像面        ∞   
非球面データ
第2面
K = 0.00000e+000  B=-2.38152e-006  C=-3.64426e-009  D=-5.81684e-012  E= 1.67838e-014  F=-3.75393e-017  
第22面
K = 0.00000e+000  B=-7.40388e-006  C=-8.76946e-010  D=-6.49404e-012  E= 4.88539e-015  
各種データ
焦点距離      34.30  
Fナンバー      1.45  
画角          32.24  
像高          21.64  
レンズ全長   133.12  
BF            39.00  
d10            7.10  
d15            5.88  
d23           39.00  
入射瞳位置    36.04  
射出瞳位置   -33.76  
前側主点位置  54.16  
後側主点位置   4.70  
レンズユニットデータ
群  始面    焦点距離  レンズ構成長  前側主点位置  後側主点位置
1    1     281.16        43.59       121.96        151.09
2a  11     579.07        13.84      -153.42       -127.72
2b  16      43.55        23.71        20.80          6.07
単レンズデータ
レンズ  始面  焦点距離
1       1    -61.93
2       3    -81.76
3       5     49.29
4       7    -60.19
5       9     51.75
6      11     40.09
7      13     73.46
8      14    -22.53
9      17    -35.91
10      18    118.37
11      20     41.78
12      24     81.04
［数値実施例４］
面データ
面番号       r        d      nd         vd       有効径
1        120.100    3.56   1.58313    59.4       53.42
2*        26.350   10.35                         43.31
3        937.244    2.08   1.49700    81.5       43.15
4         48.486    2.42                         41.49
5         87.646    6.01   1.95375    32.3       41.51
6       -106.930    3.18                         41.21
7        -55.325    1.93   1.73800    32.3       39.98
8        227.039    7.56                         39.42
9         60.511    8.25   1.59522    67.7       39.31
10        -68.836  (可変)                         39.61
11         41.753    5.86   2.00100    29.1       37.80
12        781.391    1.93                         36.94
13        107.099    5.49   1.59522    67.7       33.36
14        -54.288    1.57   1.85478    24.8       31.89
15         29.392  (可変)                         27.63
16(絞り)    ∞       7.23                         27.21
17        -21.918    1.42   1.73800    32.3       26.70
18        -81.516    2.45   1.69400    56.3       29.11
19        -49.383    0.15                         29.86
20         82.867    7.30   1.59522    67.7       31.63
21        -35.060    0.18                         31.87
22*      -110.846    4.21   1.85400    40.4       31.48
23        -42.425  (可変)                         32.78
像面        ∞   
非球面データ
第2面
K = 0.00000e+000  B=-2.71067e-006  C=-2.36820e-009  D=-1.02771e-011  E= 2.36967e-014  F=-3.66774e-017  
第22面
K = 0.00000e+000  B=-7.48861e-006  C=-6.46369e-010  D=-6.55414e-012  E= 4.82488e-015  
各種データ
焦点距離      34.00  
Fナンバー      1.45  
画角          32.47  
像高          21.64  
レンズ全長   134.94  
BF            39.00  
d10            7.05  
d15            5.75  
d23           39.00  
入射瞳位置    36.36  
射出瞳位置   -31.33  
前側主点位置  53.92  
後側主点位置   5.00  
レンズユニットデータ
群  始面    焦点距離  レンズ構成長  前側主点位置  後側主点位置
1    1     283.98        45.34       128.27        164.54
2a  11     654.67        14.85      -183.51       -150.43
2b  16      43.86        22.95        19.99          5.40
単レンズデータ
レンズ  始面  焦点距離
1       1    -58.71
2       3   -102.96
3       5     51.28
4       7    -60.10
5       9     55.42
6      11     43.89
7      13     61.30
8      14    -22.12
9      17    -41.04
10      18    175.04
11      20     42.37
12      24     78.26
【００５０】
【表１】
2018185389.tif 000006
ng
nF
nd
nC
νd
θgF
（メタ）
アクリルモノマー1
1.53706
1.53133
1.52415
1.52116
51.55
0.563
TiO2微粒子
2.45676
2.37452
2.30377
2.28032
13.84
0.873
（メタ）
アクリルモノマー１
TiO2 25v%
1.73891
1.71882
1.69934
1.69232
26.38
0.758
【００５１】
【表２】
2018185389.tif 000007
（１）
（２）
（３）
（４）
（５）
（６）
実施例１
0.178 
25.9 
-0.35 
0.069 
1.71 
0.005 
実施例２
0.193 
29.8 
-0.44 
0.048 
1.68 
0.008 
実施例３
0.122 
34.7 
-0.21 
0.036 
1.71 
-0.002 
実施例４
0.120 
32.3 
-0.21 
0.020 
1.71 
0.000 
【符号の説明】
【００５２】
Ｌ１    第１レンズユニット
Ｌ２    第２レンズユニット
ＳＰ    開口絞り
ＩＰ    像面
【図１】
2018185389.tif 000008
【図２】
2018185389.tif 000009
【図３】
2018185389.tif 000010
【図４】
2018185389.tif 000011
【図５】
2018185389.tif 000012
【図６】
2018185389.tif 000013
【図７】
2018185389.tif 000014
【図８】
2018185389.tif 000015
【図９】
2018185389.tif 000016